(57)【特許請求の範囲】
【請求項１】
印刷媒体の書面を電子データに変換して電子書面を生成する電子変換手段と、
前記電子書面の中から手書きでの記入を行う記入部位を検出する、記入部位検出手段と、
前記記入部位に基づいて、電子入力可能な電子入力領域を生成する入力領域生成手段と、を備え、
前記記入部位検出手段は、前記印刷媒体の書面に含まれる境界に基づいて、前記記入部位を検出し、
前記記入部位検出手段は、前記境界の隣接部および前記境界で囲まれた内部を、前記記入部位として、検出し、
前記電子書面を表示する表示手段と、
前記電子書面の表示上の位置を選択する位置選択手段と、
前記電子書面への電子入力を行う入力手段とを、更に備え、
前記入力領域生成手段は、前記位置選択手段によって指定された位置を基準として、上下左右の所定範囲を、前記電子入力領域とし、
前記入力領域生成手段は、前記位置選択手段によって指定された位置が、前記記入部位に含まれる場合に、前記上下左右の所定範囲を、前記電子入力領域とし、
前記所定範囲は、前記入力領域生成手段が前記電子書面中にある境界を検出することで定まり、
前記入力領域生成手段は、前記電子書面におけるエッジを検出することで、前記境界を検出し、
前記入力領域生成手段は、前記電子書面の画像ドットの変化が所定値以上である場所、前記電子書面を周波数変換した後での周波数変化が所定値以上である場所、前記電子書面のコントラスト変化が所定値以上である場所およびグレースケールに変化した前記電子書面の輝度が所定値以下である場所の少なくとも一つに基づいて、前記エッジを検出し、
前記記入部位検出手段は、前記電子書面中の境界で囲まれた範囲の一部を、前記記入部位として検出し、
前記入力領域生成手段は、記入者により前記記入部位が選択されると、前記境界で囲まれた範囲を、所定範囲として拡大することで、前記電子入力領域として生成し、
前記入力手段で前記電子入力領域に入力がされた前記電子書面を送信する送信手段と、を備え、
前記電子入力領域の面積が所定値以下の場合には、前記電子入力領域をチェックボックスとして取り扱い、
前記記入部位検出手段が、前記境界で囲まれた範囲の一部を、前記記入部位として検出した状態で、前記位置選択手段により前記記入部位が選択された後、前記入力領域生成手段が、前記境界で囲まれた範囲へ、前記記入部位を拡大することで、前記電子入力領域を生成する、印刷媒体への電子入力可能化装置。
【請求項２】
前記印刷媒体の書面を撮像もしくはスキャンして撮像画像を生成する撮像手段を更に備え、
前記電子変換手段は、前記撮像画像を、前記電子書面に変換する、請求項１ 記載の印刷媒体への電子入力可能化装置。
【請求項３】
前記電子入力領域は、前記記入部位の面積以上である、請求項１または２記載の印刷媒体への電子入力可能化装置。
【請求項４】
前記送信手段で送信された前記電子書面を受信する受信装置と、を更に備える、請求項１から３のいずれか記載の印刷媒体への電子入力可能化装置。
【請求項５】
前記受信装置は、受信した前記電子書面に含まれる前記電子入力領域の入力データを抽出する抽出手段と、
前記抽出手段で抽出された前記入力データを、電子保管において、所定の順番およびスプレッドに整理する整理手段と、を備え、
複数の前記電子書面に含まれる前記入力データを、電子的に整理する、請求項４記載の印刷媒体への電子入力可能化装置。
【請求項６】
前記整理手段によって電子的に保管されている前記入力データにおいて、
前記入力手段によって前記電子入力領域の変更が行われた前記電子書面を新たに受信する場合には、電子的に保管されている前記入力データが置き換わる、請求項５記載の印刷媒体への電子入力可能化装置。
【発明の詳細な説明】
【技術分野】
【０００１】
本発明は、印刷媒体の書類を電子データに変換した上で、書類に含まれている所定の記載領域を、電子的に編集可能とする、印刷媒体への電子入力可能化装置に関する。
【背景技術】
【０００２】
セミナーやイベントの案内、アンケート、会員申請などの申込みなど、様々な場所、様々な目的、様々な形態での情報入力を行う場面がある。例えば、セミナーやイベントなどの集客においては、会場はもちろんのこと、関連する場所に案内書類（チラシなど）が設置されたり配布されたりする。主催者は、セミナーやイベントの宣伝および集客の両方を考慮して、案内書類にて様々な対象者に通知する。
【０００３】
このような案内書類は、セミナーやイベントの内容（テーマ、開催日、スピーカー、タイトルなど）を表示するだけでなく、申込みを兼ねていることも多い。案内書類を受け取った人は、案内書類に設けられている申込み欄に記入を行って案内書類を提出することで、このセミナーやイベントへの参加を申し込める。
【０００４】
申込み欄は、境界によって、名前、住所、電話番号、電子メールアドレスなどの記入領域を有している。申込み希望者は、これらの記入領域に手書きで記載して、必要な記入を行って、参加を申し込む。
【０００５】
このように、セミナーやイベントの集客および参加申込みを兼ねた案内書類は、集客しやすい場所（セミナー会場や関連場所など）での設置の容易性、配布の容易性、受け取った後ですぐに申込みを行える利便性などによって、印刷媒体であることが多い。紙やＰＤＦなどの印刷媒体であることで、受け取った希望者は、手書き記入により申込み等の手続きを行う。
【０００６】
一方で、インターネット等の電気通信ネットワークの発達により、セミナーやイベントなどの案内は、電子媒体によって行われることもある。例えば、セミナーやイベントの主催者のホームページ上やメルマガなどにより、電子媒体の案内データを表示することも多い。このような電子媒体の案内データを受け取った希望者は、この電子媒体の案内データに、パソコンや携帯端末を介して電子的に必要な事項を入力する。
【０００７】
必要な事項の入力の終わった電子データは、電気通信ネットワークを介して送信されて、申込み等の手続きが行われる。セミナーやイベント等の主催者は、この電子送信された申込み内容の記載された電子データによって、参加希望への対応処理を行う。
【０００８】
このように、現代社会の電気通信ネットワークの発達により、セミナーやイベントの案内および申込みは、電子媒体で行われることも多くなっている。電子媒体での案内および申込みの場合には、広く周知することも可能であり、受信した申込みを電子的に処理できる点で、主催者にとっては便利である。また、参加希望者にとっても、電子機器による電子入力であるので、入力が楽であることが多い。特に、住所や電子メールアドレスなどを記入するには、手書きよりも電子入力のほうが楽である上に、手書きのくせによる把握間違いを生じさせる心配もない。また、手書きが面倒であるとの希望者であっても、電子入力であれば楽だと考える人も多い。
【０００９】
このように、セミナーやイベントの案内書面は、印刷媒体よりも電子媒体に移行するモチベーションが高くなっている。このモチベーションは、主催者および希望者の両方において生じている。このため、印刷媒体を廃止して、電子媒体のみで案内書面を作成・通知することも考えられている。
【００１０】
しかしながら、印刷媒体で説明したように、印刷媒体であれば物理的に様々な場所に設置が可能であるメリットがある。あるいは、物理的に配布することも可能である。セミナーやイベントの案内書面は、同様の会場で行われている別のセミナーやイベントの際に、配布されることが多い。これは、効果的な集客を狙ってのことである。
【００１１】
また、印刷媒体であれば、主催者が、様々な場所で行われている同様のセミナーなどにおいて配布することもできる。この場合も、セミナーやイベントに興味を持つ可能性の高い対象者に配布できることになり、メリットが高い。また、印刷媒体の案内書面を受け取ったところで申込み欄に記入すれば申込みが完了する点で、希望者にとってもメリットがある。
【００１２】
また、電気通信ネットワークが発達した現代においても、パソコンや携帯端末を介した電子表示や電子入力に抵抗感のある人も多い。セミナーやイベントの種類のよっては、このような抵抗感のある層の人に対して周知や集客をする必要があり、手書き記入の可能な印刷媒体の案内書面の必要性はまだまだ高い。
【００１３】
このため、セミナーやイベント等の案内書面は、現代においても印刷媒体と電子媒体が混在していることが多い。
【００１４】
セミナーやイベント等の案内書面に限らず、アンケート、会員申請などの書面も、同様の理由で、現代においても、印刷媒体と電子媒体が混在している。アンケートや会員申請においても、配布容易性、回収速度、記入のための口頭説明の必要性などから印刷媒体が必要であることがまだまだ多いからである。もちろん、アンケートや会員申請も、大量かつ広い範囲に送信できること、受信したデータを電子的に整理、解析することが容易であることなどから、電子媒体の利点も高い。
【００１５】
このような、主催者が想定する顧客に送る案内書面やアンケートなどに限らず、記入を行って提出する必要がある様々な連絡書面がある。例えば、学校と父兄との間の連絡帳などは、双方に記入を行って交換される。この場合でも、電子媒体が便利である場合が多い。記録や解析などにおいて有利だからである。とはいえ、諸般の事情で、この場合でも印刷媒体が使用されることがある。
【００１６】
以上のような理由で、記入と提出を必要とする様々な書面は、印刷媒体と電子媒体とが混在している。
【００１７】
図１９は、現状の書面の配布と回収の状況を示す模式図である。
【００１８】
図１９に示されるように、あるセミナーに関する案内書面であるチラシを配布して回収し整理するには、印刷媒体、電子媒体などの様々な形態が混在している。また、電子媒体においても、掲示、ＰＤＦ、編集可能な電子データ、ＷＥＢ頁での入力など、様々な態様がある。
【００１９】
希望者は、これらの中から自分に最適な媒体を選択すればよいが、当然ながら、その選択に迷うことも生じる。また、主催者は、様々な媒体で提出された申込みを、整理しなければならない面倒がある。
【００２０】
例えば、手書き記入で提出された案内書面の場合には、主催者が、手書きされた申込み欄の内容を、改めて電子入力して電子化するなどの作業を必要としている。この作業は煩雑である上に、手書き入力文字が読みにくい場合に、間違えて入力してしまう問題もある。
【００２１】
この問題により、申込者がきちんと申込み扱いにされなかったり確認連絡が来なかったりする希望者側のデメリットが生じうる。また、当然に主催者にとっては、手間が煩雑であることと希望者を漏らしてしまうなどのデメリットもある。
【００２２】
このような、手書き記入による記載間違いや判別ミスなどに起因して、希望者および主催者の双方に、希望申込みが確実にならないなどのデメリットが生じうる。また、字が上手でないなどの手書き記入を面倒であると考える人は、興味のあるセミナー等であっても申込みを躊躇してしまうこともある。これは、当然に主催者にとっても不利益である。
【００２３】
上述した理由で、案内書面等を電子媒体に統一できず、印刷媒体が残っている現状では、印刷媒体およびこれに対する手書き記入に起因する問題が様々にある。
【００２４】
印刷媒体の書類への手書き記入を必要とすることに起因する問題は、次のように整理される。
【００２５】
（希望者側）
手書き記入を面倒と感じることがある。
字が上手ではなく、手書き記入をためらうことがある。
手書き記入した文字が、正しく把握されるかについて不安を持つ。この不安によって、手書き入力をためらうこともある。
案内書面で不足する情報を、パソコンなどで取得しつつ記入する際には、印刷媒体と電子書面の両方を見る必要があり、手書き記入に不便を感じることもある。
【００２６】
（主催者側）
印刷媒体および電子媒体のそれぞれを用意しなくてはならない。
印刷媒体に記入されている事項を、手作業で電子入力しなければならないことも多い。この場合に、ミスを生じさせる不安もある。
印刷媒体に手書き記入されている文字の把握をミスしてしまう不安がある。把握をミスしてしまうことで、希望者を漏らしてしまう懸念がある。
【００２７】
このような状況で、印刷媒体での電子入力に関する技術が提案されている（例えば、特許文献１、２参照）。
【先行技術文献】
【特許文献】
【００２８】
【特許文献１】特開２００６−１７８８３９号公報
【特許文献２】特開２０１４−１１５９０９号公報
【発明の概要】
【発明が解決しようとする課題】
【００２９】
特許文献１は、医療に関するデータを入力可能な入力フォーマットが表記された専用用紙２００に対して電子ペン１００を用いて筆記することによって医療関連データを端末に入力する医療支援システムであって、入力フォーマットは、医療関連データの値を入力可能な数直線が表示され、変換情報記憶手段は、数直線上の筆記位置に関連付けられて医療関連データ値が記憶されている技術を開示する。
【００３０】
特許文献１は、専用用紙に対して電子ペンを用いて筆記することで、電子ペンの操作に基づいた記入内容を電子入力に変換できる。
【００３１】
しかしながら、特許文献１の技術では、記入を行う人の全てが電子ペンを所有している必要がある。上述したようなセミナーやイベントの案内書面やアンケート書面を受け取る人の全てが、専用の電子ペンを所有していることは極めて稀である。このため、案内書面等の手書き記入を電子ペンで対応することは困難である。
【００３２】
また、電子ペンでの電子入力は、操作する人の操作結果によって文字に置き換える。このため、手書きにおいて癖のある人の電子ペンの操作によって、やはり置き換わる文字が誤認されてしまうこともある。
【００３３】
特許文献２は、手書きコメント情報と電子コメント情報とを、手書きコメント情報および電子コメント情報それぞれの座標情報に基づいてスレッド情報として関連付けて管理する。コメントの近傍のオブジェクトを撮像時にスレッド情報を重畳表示し、かつ、そのオブジェクト方向へ伸長表示する上方処理システムを開示する。
【００３４】
この技術によって、手書きコメントを電子として表示できるようにして、電子入力部分との合体を行う。この合体により、手書き記入部分も電子書面に合わせることができる。
【００３５】
しかしながら、特許文献２の技術では、手書き記入部分は、やはり手書きで記入を行う必要がある。この手書き記入の必要性が残っている限り、上述した、手書き入力に起因する問題を解消できない。
【００３６】
以上のように、従来技術は、印刷媒体の書面への手書き入力の必要性を残している。このため、印刷媒体の書類への手書き入力の必要性に基づく、上述した問題を有している。
【００３７】
本発明は、これらの課題に鑑み、印刷媒体の書面を電子化した上で手書き入力の必要な領域を電子入力可能にする、印刷媒体への電子入力可能化装置を提供することを目的とする。
【課題を解決するための手段】
【００３８】
上記課題に鑑み、本発明の印刷媒体への電子入力可能化装置は、印刷媒体の書面を電子データに変換して電子書面を生成する電子変換手段と、
電子書面の中から手書きでの記入を行う記入部位を検出する、記入部位検出手段と、
記入部位に基づいて、電子入力可能な電子入力領域を生成する入力領域生成手段と、を備え、
記入部位検出手段は、印刷媒体の書面に含まれる境界に基づいて、記入部位を検出し、
記入部位検出手段は、境界の隣接部および境界で囲まれた内部を、記入部位として、検出し、
電子書面を表示する表示手段と、
電子書面の表示上の位置を選択する位置選択手段と、
電子書面への電子入力を行う入力手段とを、更に備え、
入力領域生成手段は、位置選択手段によって指定された位置を基準として、上下左右の所定範囲を、電子入力領域とし、
入力領域生成手段は、位置選択手段によって指定された位置が、記入部位に含まれる場合に、上下左右の所定範囲を、電子入力領域とし、
所定範囲は、入力領域生成手段が電子書面中にある境界を検出することで定まり、
入力領域生成手段は、電子書面におけるエッジを検出することで、境界を検出し、
入力領域生成手段は、電子書面の画像ドットの変化が所定値以上である場所、電子書面を周波数変換した後での周波数変化が所定値以上である場所、電子書面のコントラスト変化が所定値以上である場所およびグレースケールに変化した電子書面の輝度が所定値以下である場所の少なくとも一つに基づいて、エッジを検出し、
記入部位検出手段は、電子書面中の境界で囲まれた範囲の一部を、記入部位として検出し、
入力領域生成手段は、記入者により記入部位が選択されると、境界で囲まれた範囲を、所定範囲として拡大することで、電子入力領域として生成し、
入力手段で電子入力領域に入力がされた電子書面を送信する送信手段と、を備え、
電子入力領域の面積が所定値以下の場合には、電子入力領域をチェックボックスとして取り扱い、
記入部位検出手段が、境界で囲まれた範囲の一部を、記入部位として検出した状態で、位置選択手段により記入部位が選択された後、入力領域生成手段が、境界で囲まれた範囲へ、記入部位を拡大することで、電子入力領域を生成する。
【発明の効果】
【００３９】
本発明の印刷媒体への電子入力可能化装置は、印刷媒体の書面を電子化した上で、手書き記入の必要な領域を、電子入力可能にできる。電子入力可能であることで、作業者は、手書きに起因する不便や手間を感じることなく、申込み等を行える。
【００４０】
また、手書き記入の必要な領域が電子入力できることで、字が上手ではない、判別が不十分になるかもしれないといった抵抗感なく、パソコンや携帯端末で入力できる。特に、電子入力に慣れている作業者にとっては、手書き記入よりも楽であり、便利である。
【００４１】
また、電子入力であることで、印刷媒体の書面を管理・整理する管理者も、文字の判別ミスなどの心配が少ない。元は印刷媒体であっても必要事項は電子入力されているので、管理者は、整理等をするにあたって、手書き記入を見ながら手作業で電子入力を行う手間を省くことができる。
【００４２】
更には、他の電子媒体など、様々な態様で回収された書面の整理等においても、手間を削減することができる。
【図面の簡単な説明】
【００４３】
【図１】本発明の実施の形態１における印刷された書面の模式図である。
【図２】本発明の実施の形態１における電子入力可能化装置のブロック図である。
【図３】本発明の実施の形態１における電子書面の模式図である。
【図４】本発明の実施の形態１における電子入力領域が生成された電子書面の模式図である。
【図５】本発明の実施の形態１における電子入力された電子書面の模式図である。
【図６】本発明の実施の形態１における電子入力可能化装置のブロック図である。
【図７】本発明の実施の形態１における記入部位の検出状態を示す模式図である。
【図８】本発明の実施の形態１における記入部位の検出状態を示す模式図である。
【図９】本発明の実施の形態１における入力領域生成手段に対する操作を行う要素を有する電子入力可能化装置のブロック図である。
【図１０】本発明の実施の形態１における電子書面での位置選択を示す模式図である。
【図１１】本発明の実施の形態１における電子入力領域４１が生成された状態の電子書面の模式図である。
【図１２】本発明の実施の形態１における印刷媒体の書面の模式図である。
【図１３】本発明の実施の形態１における複数の記入部位を備える電子書面の模式図である。
【図１４】本発明の実施の形態１における電子入力領域の一つに記入された電子書面の模式図である。
【図１５】本発明の実施の形態１における複数の記入領域への記入が進んだ状態の電子書面の模式図である。
【図１６】本発明の実施の形態２における電子入力可能化装置のブロック図である。
【図１７】本発明の実施の形態２における受信装置の内部ブロック図である。
【図１８】本発明の実施の形態２における電子書面の模式図である。
【図１９】現状の書面の配布と回収の状況を示す模式図である。
【発明を実施するための形態】
【００４４】
本発明の第１の発明における印刷媒体への電子入力可能化装置は、印刷媒体の書面を電子データに変換して電子書面を生成する電子変換手段と、
電子書面の中から手書きでの記入を行う記入部位を検出する、記入部位検出手段と、
記入部位に基づいて、電子入力可能な電子入力領域を生成する入力領域生成手段と、を備える。
【００４５】
この構成により、紙などの印刷媒体であって手書き入力する必要がある書面であっても、電子入力できるようになる。
【００４６】
本発明の第２の発明における印刷媒体への電子入力可能化装置では、第１の発明に加えて、印刷媒体の書面を撮像もしくはスキャンして撮像画像を生成する撮像手段を更に備え、電子変換手段は、撮像画像を、電子書面に変換する。
【００４７】
この構成により、印刷媒体を容易に電子書面に変換できる。
【００４８】
本発明の第３の発明における印刷媒体への電子入力可能化装置では、第１または第２の発明に加えて、記入部位検出手段は、印刷媒体の書面に含まれる境界に基づいて、記入部位を検出する。
【００４９】
この構成により、手書き入力すべき部位を、記入部位として検出できる。
【００５０】
本発明の第４の発明における印刷媒体への電子入力可能化装置では、第３の発明に加えて、記入部位検出手段は、境界の隣接部および境界で囲まれた内部を、記入部位として、検出する。
【００５１】
この構成により、境界を基準にして記入部位を検出できる。結果として、より確実に記入部位を検出できる。
【００５２】
本発明の第５の発明における印刷媒体への電子入力可能化装置では、第１から第４のいずれかの発明に加えて、電子入力領域は、記入部位の面積以上である。
【００５３】
この構成により、記入部位に基づいて電子入力領域が生成できる。
【００５４】
本発明の第６の発明における印刷媒体への電子入力可能化装置では、第１から第５のいずれかの発明に加えて、電子書面を表示する表示手段と、
電子書面の表示上の位置を選択する位置選択手段と、
電子書面への電子入力を行う入力手段とを、更に備え、
入力領域生成手段は、位置選択手段によって指定された位置を基準として、上下左右の所定範囲を、電子入力領域とする。
【００５５】
この構成により、記入者が選択した位置に基づいて電子入力領域が生成される。結果として記入者の目視に合わせて入力に対応する部位が電子入力可能となる。
【００５６】
本発明の第７の発明における印刷媒体への電子入力可能化装置では、第６の発明に加えて、入力領域生成手段は、位置選択手段が、記入部位に含まれる場合に、上下左右の所定範囲を、電子入力領域とする。
【００５７】
この構成により、記入部位と位置選択に応じて、適切な範囲が電子入力領域として生成される。
【００５８】
本発明の第８の発明における印刷媒体への電子入力可能化装置では、第６または第７の発明に加えて、所定範囲は、入力領域生成手段が電子書面中にある境界を検出することで定まる。
【００５９】
この構成により、本来の手書き領域に対応する境界によって、電子入力領域が生成される。
【００６０】
本発明の第９の発明における印刷媒体への電子入力可能化装置では、第８の発明に加えて、入力領域生成手段は、電子書面におけるエッジを検出することで、境界を検出する。
【００６１】
この構成により、正確に境界を検出できる。
【００６２】
本発明の第１０の発明における印刷媒体への電子入力可能化装置では、第９の発明に加えて、入力領域生成手段は、電子書面の画像ドットの変化が所定値以上である場所、電子書面を周波数変換した後での周波数変化が所定値以上である場所、電子書面のコントラスト変化が所定値以上である場所およびグレースケールに変化した電子書面の輝度が所定値以下である場所の少なくとも一つに基づいて、エッジを検出する。
【００６３】
この構成により、様々にエッジを検出し、境界を検出することができる。
【００６４】
本発明の第１１の発明における印刷媒体への電子入力可能化装置では、第１０の発明に加えて、記入部位検出手段は、電子書面中の境界で囲まれた範囲の一部を、記入部位として検出し、入力領域生成手段は、記入部位が選択されると、境界で囲まれた範囲を、所定範囲として拡大することで、電子入力領域として生成する。
【００６５】
この構成により、記入部位も、境界に基づいて検出されることができる。
【００６６】
本発明の第１２の発明における印刷媒体への電子入力可能化装置では、第１から第１１のいずれかの発明に加えて、入力手段で電子入力領域に入力がされた電子書面を送信する送信手段と、送信手段で送信された電子書面を受信する受信装置と、を更に備える。
【００６７】
この構成により、入力済みの電子書面が主催者側の便に供与される。
【００６８】
本発明の第１３の発明における印刷媒体への電子入力可能化装置では、第１２の発明に加えて、受信装置は、受信した電子書面に含まれる電子入力領域の入力データを抽出する抽出手段と、
抽出手段で抽出された入力データを、電子保管において、所定の順番およびスプレッドに整理する整理手段と、を備え、
複数の電子書面に含まれる入力データを、電子的に整理する。
【００６９】
この構成により、受信装置は、自動的に電子入力された入力データを整理・分析できる。
【００７０】
本発明の第１４の発明における印刷媒体への電子入力可能化装置では、第１３の発明に加えて、整理手段によって電子的に保管されている入力データにおいて、入力手段によって電子入力領域の変更が行われた電子書面を新たに受信する場合には、電子的に保管されている入力データが置き換わる。
【００７１】
この構成により、変更された入力データのアップデートが実現できる。
【００７２】
以下、図面を参照しながら、本発明の実施の形態を説明する。
【００７３】
（実施の形態１）
【００７４】
（全体概要）
まず、本発明の実施の形態１における電子入力可能化装置の全体概要を説明する。図１は、本発明の実施の形態１における印刷された書面の模式図である。セミナーやイベントの案内であったり、セミナーやイベントでのアンケート用紙であったりするものは、紙媒体などに印刷された印刷媒体であることが多い。図１に示される書面も、印刷媒体であるアンケートであり、一般的には紙媒体などに印刷された状態で、対象者に配布される。あるいは、紙媒体で作成されたものが、スキャニングされて電子データとされた状態で配布される。印刷媒体は、文字やテキスト、あるいは写真や画像など、様々なものも含む。
【００７５】
後者の場合も、電子上で視認可能であるだけで、紙媒体と同じように印刷媒体を見ることしかできない。
【００７６】
このような印刷媒体の書面が、物理的あるいは電子的に（多くは物理的に）配布されることが多い。図１に示されるようなアンケート用紙の場合には、セミナーやイベントに参加した参加者に、その印象などを確認するために配布されることが多い。
【００７７】
このようなアンケート用紙は、配布された対象者に記載されることを目的としている。図１に示されるアンケート用紙であれば、名前や性別などの書誌的事項に加えて、感想や意見などを記載してもらうことが必要である。
【００７８】
印刷媒体で配布されたアンケート用紙は、書誌的事項や感想などを記入する記入部位（図１に示される感想や意見の記入部位）に、必要な記入を行ってもらうことが必要である。印刷媒体で配布されている場合には、配布を受けた人（記入者）は、この記入部位に手書きで記入を行うことになる。紙媒体だけでなく、樹脂ペーパーなどの印刷媒体で配布されている場合でも同様である。
【００７９】
あるいは、電子上で視認可能な状態の印刷媒体で配布されている場合でも、記入者は、このアンケート用紙を紙媒体などに印刷してから、記入部位に手書きで必要な記入を行う必要がある。
【００８０】
従来技術で説明したように、手書きで記入を行う場合には、記入者にとってもアンケート用紙を回収して整理・分析する主催者にとっても不便なことが多い。
【００８１】
図２は、本発明の実施の形態１における電子入力可能化装置のブロック図である。図２は、電子入力化装置の全体構成の概要を示している。
【００８２】
電子入力化装置は、専用の装置であってもよく、汎用のパーソナルコンピューターで実現されてもよい。あるいはタブレット端末、携帯端末、スマートフォンなどの汎用の電子機器で実現されてもよい。これらの汎用の装置や機器で実現される場合には、必要となるハードウェアやソフトウェアが、汎用の装置や機器に組み込まれることで、電子入力化装置１が実現される。また、汎用の電子機器に組み込まれている操作可能な表示画面などによっても、電子入力化装置１の全部もしくは一部が実現される。
【００８３】
電子入力化装置１は、電子変換手段２、記入部位検出手段３、入力領域生成手段４と、を備える。
【００８４】
電子変換手段２は、印刷媒体１０の書面を電子データに変換する。印刷媒体１０は、図１で示したようなアンケート用紙などである。紙や樹脂などに印刷されている印刷媒体１０では、上述したようにそのままでは手書きで記入を行う必要がある。電子変換手段２は、この印刷媒体１０を電子データに変換する。電子データのフォーマットは、電子入力可能化装置１の専用の種類であってもよいし、汎用の種類であってもよい。
【００８５】
電子変換手段２は、印刷媒体１０を電子データに変換して電子書面を生成する。この生成した電子書面を、電子変換手段２は、記入部位検出手段３に出力する。すなわち、印刷媒体１０は、電子書面に変換されて、記入部位検出手段３で処理される。
【００８６】
記入部位検出手段３は、電子データに変換された電子書面の中から、手書きでの記入を行う記入部位を検出する。
【００８７】
図３は、本発明の実施の形態１における電子書面の模式図である。電子書面２０は、印刷媒体１０が電子変換手段２によって変換された電子データとなったものである。記入部位検出手段３は、この電子書面２０を取り扱う。
【００８８】
電子書面２０は、変換する前の印刷媒体１０と同等の内容や構成を有している（もちろん、必要や都合に応じて構成や形状が変化していることもありえる）。電子書面２０は、印刷媒体１０での手書きでの記入を行う記入部位を有した状態である。図３では、電子書面２０は、感想や意見を記入する場所として記入部位３１を有している。
【００８９】
印刷媒体１０では、記入者は手書きで記入する記入部位を簡単に判別できる。判別した上で、そのまま手書きで記入できる。一方で、印刷媒体１０を電子データ化した電子書面２０の記入部位３１は、電子機器で表示されるだけであるので、当然に手書きで入力はできない。また、電子機器で表示されれば、作業者は、電子書面２０内部の記入すべき記入部位３１を視認して確かめることができる。しかし、電子入力可能化装置１は、記入部位３１を電子的に取り扱うことはそのままではできない。
【００９０】
記入部位検出手段３は、電子書面２０の中から、この記入部位３１を検出する。
【００９１】
記入部位検出手段３は、検出した記入部位３１の情報を、入力領域生成手段４に出力する。
【００９２】
入力領域生成手段４は、記入部位３１に基づいて、電子機器である電子入力可能化装置１からの電子的な入力が可能となる電子入力領域を生成する。図４は、本発明の実施の形態１における電子入力領域が生成された電子書面の模式図である。図４の電子書面２０は、図３で示される電子書面２０と同じものである。
【００９３】
入力領域生成手段４は、記入部位検出手段３によって検出された記入部位３１に基づいて、電子入力可能となる電子入力領域４１を生成する。記入者は、この電子入力領域４１に、電子的に記入作業を行うことで、必要な記入を実施できる。
【００９４】
図５は、本発明の実施の形態１における電子入力された電子書面の模式図である。図４の電子入力領域４１に、記入者は、電子的に記入している。図５は、この記入結果を示している。
【００９５】
このとき、電子入力可能化装置１は、専用の装置や汎用のパーソナルコンピュータなどの電子機器において実現される。このような電子機器は、キーボード、タッチパネルなどの文字やテキストの入力デバイスを備えている。記入者は、電子機器が有している文書作成ソフトウェアと同じ感覚で、入力デバイスを用いて、電子入力領域４１に、電子入力することができる。
【００９６】
図５は、この電子入力を行った後の状態を示している。図５に示される通り、電子入力領域４１には、記入者が必要な事項を記入している。この記入された状態での電子書面２０は、電子入力可能化装置１が備える記憶部９に記憶される。このため、必要な記入された電子書面２０は、そのまま電子データとして記憶部９に記憶されて取り扱うことができる。
【００９７】
以上のように、電子入力可能化装置１は、印刷媒体１０を電子書面２０に変換した上で、手書きで入力する記入部位３１を、電子入力領域４１として電子入力を可能にする。本来は手書きでの記入が必要な記入部位３１に、電子機器の入力デバイスを介した電子入力が可能となる。この結果、手書き入力では不便であった問題が解消できる。
【００９８】
次に、各部の詳細および追加的な要素について説明する。
【００９９】
（電子変換手段）
電子変換手段２は、紙や樹脂ペーパーなどの印刷媒体１０の書面等を、電子データの電子書面２０に変換する。電子データである電子書面２０の書式フォーマットは、上述の通り様々であってよい。ただし、最終的には記入者が視認および電子入力可能であるフォーマットであることが好ましい。また、表示部５において表示などの取り扱いが可能であることも必要である。
【０１００】
また、電子入力可能化装置１は、印刷媒体１０の書面を撮像もしくはスキャンして撮像画像を生成する撮像手段を更に備えることも好適である。図６は、本発明の実施の形態１における電子入力可能化装置のブロック図である。図６に示される電子入力可能化装置１は、撮像手段６を更に備えている。
【０１０１】
撮像手段６は、印刷媒体１０の書面をスキャンもしくは撮像する。スキャンもしくは撮像することで、撮像画像が得られる。電子変換手段２は、この撮像画像を、電子データである電子書面２０に変換することでもよい。撮像手段６を経由して電子書面２０に変換することで、電子変換手段２は、紙媒体などの印刷媒体１０の書面を、確実に電子書面２０に変換できるからである。
【０１０２】
ここで、撮像手段６は、電子入力可能化装置１が実現される電子機器に備わっているデジタルカメラなどのデバイスを使用することでもよい。電子入力可能化装置１は、上述のように、汎用のパーソナルコンピュータや携帯端末などで実現される。このようなパーソナルコンピューターや携帯端末は、デジタルカメラなどの撮像デバイスを備えていることが多い。
【０１０３】
撮像手段６は、この撮像デバイスを使用することで、容易に実現できる。このように、電子入力可能化装置１は、既存の汎用の電子機器の様々なデバイスを利用することで、より簡単かつ低コストに実現できる。更には、記入者の使い勝手を楽にすることもできる。
【０１０４】
（記入部位検出手段）
記入部位検出手段３は、電子書面２０の中における印刷媒体であれば手書き入力するべき部位を、記入部位３１として検出する。紙などの印刷媒体１０のままでは、手書きで入力しなければならなかった部位に、電子入力できるようになることで、記入者および回収等の主催者の不便や手間を軽減できるからである。
【０１０５】
ここで、記入部位検出手段３は、印刷媒体１０の書面に含まれる境界３２に基づいて、記入部位３１を検出することも好適である。電子変換手段２で電子データに変換された電子書面２０であっても、印刷媒体１０の書面に含まれている境界３２が存在する。図３では、電子書面２０に含まれる境界３２が示されている。
【０１０６】
この境界３２は、記入すべき部位であることが多い。記入部位検出手段３は、この境界３２を電子書面２０から検出し、この境界３２を基準として記入部位３１を検出できる。
【０１０７】
ここで、図３のように境界３２が、ある範囲をかこっている場合には、記入部位検出手段３は、この囲われている範囲を記入部位３１として検出することでもよい。囲われている部分を記入部位３１とする場合には、図７のように周囲を囲む境界３２に囲まれる領域３３を、そのまま記入部位３１として判断することができる。
【０１０８】
あるいは、図８のように、境界３２全体の上の一部である境界３２Ａを基準として、境界３２Ａの下部分のみ（境界３２全体で囲まれる全体の一部のみ）である領域３４を、記入部位３１として判断してもよい。
【０１０９】
すなわち、境界３２Ａの隣接部である領域３４を、記入部位３１として検出してもよい。
【０１１０】
以上のように、図７、図８のような様々なバリエーションで、記入部位検出手段３は、記入部位３１を検出できる。図７、図８は、本発明の実施の形態１における記入部位の検出状態を示す模式図である。
【０１１１】
図７の場合には、境界３２で囲まれた内部の全体（と同等範囲）が、記入部位３１として検出される。図８の場合には、境界３２の一部である境界３２Ａの隣接部であって境界３２全体で囲まれた一部のみが、記入部位３１として検出される。記入部位検出手段３は、境界３２全体や境界３２の一部を基準として、適宜記入部位３１を検出できる。
【０１１２】
また、図７、図８のように境界３２が、一定の範囲を囲んでいる形態だけでなく、全体を囲む一部のみの状態での境界が存在することもある。この場合には、記入部位検出手段３は、図８のように一部のみの境界に基づいて、記入部位３１を検出すればよい。このような境界の形態であっても、記入部位検出手段３は、電子書面２０に含まれる（元の印刷媒体１０の書面に含まれる）記入部位３１を、確実に検出できる。
【０１１３】
（入力領域生成手段）
入力領域生成手段４は、記入部位３１に基づいて、電子入力可能となる電子入力領域４１を生成する。記入部位３１は、印刷媒体１０の書面において手書き記入する範囲である。この手書き入力すべき範囲が、記入部位３１として検出された上で、この記入部位３１に基づいて電子入力領域４１が生成される。
【０１１４】
このステップで電子入力領域４１が生成されることで、手書き入力すべき部位が、電子での入力可能状態となる。
【０１１５】
電子入力領域４１は、記入部位３１に基づいて生成される。このとき、図７、図８のように、記入部位３１は、境界３２や境界の一部３２Ａなどに基づいて検出される。この記入部位３１に基づいて電子入力領域４１が生成されるので、電子入力領域４１は、記入部位３１の面積以上である。例えば、図５で示される電子入力領域４１は、記入領域３１と同じ面積もしくはそれ以上の面積を有している。
【０１１６】
記入部位３１の検出が、図７のように境界３２によって囲まれる内部全体である場合であっても、図８のように境界３２の一部３２Ａの隣接部であっても、電子入力領域４１は、それ以上の面積となることで、本来の手書き入力として用意されている範囲が、電子入力領域４１として生成される。
【０１１７】
図９は、本発明の実施の形態１における入力領域生成手段に対する操作を行う要素を有する電子入力可能化装置のブロック図である。図９の電子入力可能化装置１は、位置選択手段７および入力手段８を更に備えている。また、表示手段としての表示部５も備えている。
【０１１８】
なお、図９では、位置選択手段７、入力手段８および表示部５のそれぞれは、電子入力可能化装置１の外部に設けられているように示されているが、これらの要素は、電子入力可能化装置１の内部要素として把握されても、オプション的な外部要素として把握されてもよい。
【０１１９】
表示部５は、電子入力可能化装置１が取り扱う電子書面２０を表示できる。更には、電子入力可能化装置１に対する記入者の操作メニューや操作状況を表示できる。電子入力可能化装置１が、汎用の装置や電子機器で実現される場合には、これらの汎用の装置や電子機器に備わっている表示デバイスが、表示部５として使用される。
【０１２０】
表示部５は、図４などに示される電子変換手段２によって変換された電子書面２０、記入部位検出手段３によって検出された記入部位３１を含む電子書面２０、入力領域生成手段４によって生成された電子入力領域４１を含む電子書面２０などを表示できる。
【０１２１】
また、表示部５は、これらのステップの過程のそれぞれでの電子書面２０を表示できる。このため、記入者は、それぞれの過程での電子書面２０を確認しながら、電子的な記入のための作業を行うことができる。
【０１２２】
ここで、位置選択手段７は、表示部５で表示される電子書面２０の、表示上の位置を選択することができる。すなわち、パーソナルコンピュータでのマウスやタッチパネルで位置を選択するのと同様の選択を行うことができる。このため、位置選択手段７は、電子入力可能化装置１が実現される汎用の装置や電子機器に備わっているマウスやタッチパネルなどを使用してもよい。
【０１２３】
図１０は、本発明の実施の形態１における電子書面での位置選択を示す模式図である。
【０１２４】
記入者は、電子書面２０における記入部位３１（これを基準に電子入力領域４１が生成される）の一部の位置４２を、位置選択手段７によって選択できる。図１０は、境界３２の下部分を、位置選択手段７で選択した状態が示されている。記入者は、電子入力領域４１の前提となる記入部位３１の一部を、位置選択手段７で選択する。
【０１２５】
このとき、位置選択手段７は、選択された位置情報を、入力領域生成手段４に出力する。図１０での矢印は、この出力方向を示している。すなわち、記入者が位置選択手段７によって選択した電子書面２０の位置を、入力領域生成手段４は、把握できる。
【０１２６】
入力領域生成手段４は、位置選択手段７で選択された位置４２を基準として、上下左右の所定範囲を、電子入力領域４１として生成する。図１１は、この電子入力領域４１の生成を示している。位置４２を基準として、入力領域生成手段４は、下方への所定範囲を電子入力領域４１として生成している。
【０１２７】
このように、入力領域生成手段４は、記入者の位置選択に基づいて、電子入力領域４１を生成することもできる。もちろん、記入領域３１に基づいて、自動で電子入力領域４１を生成してもよい。
【０１２８】
図１１は、本発明の実施の形態１における電子入力領域４１が生成された状態の電子書面の模式図である。
【０１２９】
ここで、入力領域生成手段４は、検出されている記入領域３１の範囲を上限として、選択された位置４２から、電子入力領域４１を生成してもよい。この場合には、図１１のように、記入領域３１を上限として電子入力領域４１が生成される。
【０１３０】
入力領域生成手段４は、位置選択手段７によって選択された位置が、記入部位３１に含まれる場合には、この位置から上下左右の所定範囲を（上下左右のいずれかあるいは一部での範囲でもよい）、電子入力領域４１とすることでもよい。記入者は、表示部５に表示される電子書面２０の境界３２によって記入領域３１を把握できる。
【０１３１】
記入領域検出手段３は、境界３２に基づいて記入領域３１を、電子上で検出している。この検出と合わせることで、位置選択手段７で選択された位置が、記入領域３１に含まれることを、電子入力可能化装置は、判断できる。この判断により、位置選択手段７によって選択された位置が、記入領域３１内部であるかが判断される。
【０１３２】
この場合には、入力領域生成手段４は、この位置を基準として所定範囲を、電子入力領域４１として生成する。この範囲は、記入領域検出手段３によって検出されている記入領域３１を上限としてもよいし、それを超えることでもよい。
【０１３３】
また、電子入力領域４１として生成される所定範囲は、境界３２によって、定まることでもよい。境界３２によって定められる範囲が、電子書面２０となる前の印刷媒体１０の手書き入力の範囲であるからである。
【０１３４】
このため、入力領域生成手段４は、位置選択手段７で選択された位置を基準に、境界３２を検出することで、電子入力領域４１を生成する。すなわち、入力領域生成手段４は、記入者の位置操作を起点に、境界３２を検出することで、電子入力領域４１を生成できる。このような、記入者の位置操作に合わせて電子入力領域４１を形成することで、記入者によって、表示部５に表示される電子書面２０を視覚的にとらえることで、電子入力領域４１が形成される。
【０１３５】
すなわち、記入者は、電子書面２０を視覚的に捉えた上で、記入すべき領域を位置選択すると、そのままそこが電子入力領域となる。記入者は、自分の判断で選択して、電子入力を可能とできる。
【０１３６】
また、記入者の操作を前提として入力領域生成手段４が、電子入力領域４１を生成する場合に、記入部位３１との関連で生成されてもよい。
【０１３７】
記入部位検出手段３は、境界３２で囲まれた範囲の一部を、記入部位３１として検出することができる。この状態で、記入者は、記入部位３１を位置選択手段７で選択する。この記入部位３１が選択されると、入力領域生成手段４は、境界３２で囲まれた範囲へ、記入部位３１を拡大することで、電子入力領域４１を生成する。
【０１３８】
すなわち、記入部位３１が位置選択手段７で選択され、境界３２の範囲に選択部分（選択された記入部位３１）が拡大されることで、電子入力領域４１が生成される。
【０１３９】
（境界の検出）
上記のように、入力領域生成手段４は、境界４２を検出することで電子入力領域４１を生成できる。このため、入力領域検出手段４は、境界４２を検出する機能を備えることが好ましい。
【０１４０】
なお、境界は、電子書面２０内部における色味の相違によって生じる境界や、明示的な線で示される枠線などを含む。
【０１４１】
図４のように電子書面２０には、本来であれば手書きで入力するべき手書きの記入部位３１を備えている。この記入部位３１は、境界３２を備えていることが多い。入力領域生成手段４は、この境界３２を検出する。
【０１４２】
一例として、入力領域生成手段４は、電子書面２０におけるエッジを検出することで、境界３２を検出する。エッジは、電子書面２０を画像処理することで、輝度変化が所定以上である部分であったりする。入力領域生成手段４は、この輝度変化が所定以上である部分をエッジとして検出する。エッジは、画像処理上での境界としての検出を行う部位である。
【０１４３】
入力領域生成手段４は、このエッジを境界３２であるとして検出する。境界３２は、電子書面２０中において色味が変化することで形成される境界（領域としての境界）や、明示的な線で形成された枠線などを含む。
【０１４４】
ここで、入力領域生成手段４は、電子書面２０の画像ドットの変化が所定値以上である部分を、エッジとして検出してもよい。境界３２は、電子書面２０の内部では文字や画像と異なり、線であることで画像ドットの変化が大きい部分である。
【０１４５】
このため、画像ドットの変化が所定値以上である部分には、線があると考えられ、これによりエッジを検出することができる。なお、所定値は、適宜定められれば良い。
【０１４６】
あるいは、入力領域生成手段４は、電子書面２０を周波数変換した後での周波数変化が所定値以上である場所を、エッジとして検出することでもよい。周波数変換すると、電子書面２０の周波数分布状態が把握できる。この中で、エッジのように輝度や色度が急激に変化する部分では、周波数変化が所定値以上である。
【０１４７】
このため、入力領域生成手段４は、周波数変化が所定値以上である部分を、エッジとして検出できる。
【０１４８】
また、入力領域生成手段４は、電子書面２０のコントラスト変化が所定値以上である部分を、エッジとして検出してもよい。エッジは、電子書面２０の中で、線として存在しているので、白から黒などの輝度や色度のコントラスト変化が急激な部分である。
【０１４９】
このため、入力領域生成手段４は、電子書面２０内部のコントラスト変化が所定値以上である部分を、エッジとして検出できる。
【０１５０】
あるいは、入力領域生成手段４は、電子書面２０をグレースケールに変化した状態で、電子書面２０の輝度が所定値以下である部分を、エッジとして検出する。エッジは、黒色であることが多く、輝度が他の部分よりも低いことが多い。このため、入力領域生成手段４は、グレースケールに変換した後での輝度が所定値以下の部分を、エッジとして検出することでもよい。
【０１５１】
以上のように、入力領域生成手段４は、種々のメカニズムでエッジを検出して、このエッジに基づいて境界３２を検出できる。
【０１５２】
（入力手段）
入力手段８は、電子入力領域４１に、電子的な入力を実行できる。入力手段８は、電子入力可能化装置１に備わる文字やテキストの入力を可能とするデバイスである。あるいは、電子入力可能化装置１が、汎用の装置や電子機器で実現される場合には、入力手段８は、汎用の装置や電子機器に備わっているキーボードやタッチパネルで実現される。
【０１５３】
記入者は、入力領域生成手段４によって電子入力領域４１が生成されると、この範囲に入力手段８によって、文字やテキストを電子的に入力できる。図５は、この電子的な入力を行った後の状態を示している。
【０１５４】
このように、記入者は、入力手段８を介して電子入力領域４１に文字などを入力できる。印刷媒体１０では、手書きで入力しなければならなかった記入部位に、電子的に入力できるようになる。電子的な入力が可能となることで、記入者にとっての不便が解消される。
【０１５５】
また、一つの電子書面２０に、複数の記入部位３１が設けられていることも多い。特に、複数の境界３２によってセルのように囲まれた複数の部分のそれぞれが記入部位３１となっていることがある。
【０１５６】
図１２は、本発明の実施の形態１における印刷媒体の書面の模式図である。図１２の印刷媒体１０の書面では、セルのように形成された境界３２が設けられ、この境界３２によって囲まれた複数の部分が、記入部位３１となっている。
【０１５７】
すなわち、複数の記入部位３１が設けられている。このような複数の記入部位３１が設けられている書面では、複数の記入部位３１のそれぞれに、記入者は、必要な事項を記入する必要がある。図１２では、生徒氏名、学年などの記入項目がある。
【０１５８】
電子変換手段２は、この図１２の印刷媒体１０を電子書面２０に変換する。図１３は、本発明の実施の形態１における複数の記入部位を備える電子書面の模式図である。図１２の印刷媒体１０の書面が電子書面２０に変換された状態が、図１３に示される電子書面２０である。
【０１５９】
すでに説明したように、電子入力可能化装置１は、電子書面２０の記入部位３１を検出し、記入部位３１に基づいて電子入力領域４１を生成する。このため、図１３では、まず、複数の記入部位３１の内、一番上の記入部位３１が、電子入力領域４１として生成されている。
【０１６０】
図１３では、生徒氏名を記入すべき記入部位が、電子入力領域４１として生成されている。これにより、記入者は、生徒氏名を記入できる。なお、図１２〜で説明されている書面は、例えば学校行事の参加申し込み用紙である。
【０１６１】
図１３で生成された生徒氏名に対応する記入部位が、電子入力領域４１として生成されているので、記入者は、ここに生徒氏名を入力手段８を介して、電子的に記入する。図１４は、本発明の実施の形態１における電子入力領域の一つに記入された電子書面の模式図である。
【０１６２】
電子入力可能化装置１は、複数の記入部位３１のそれぞれを、順々に電子入力領域４１として生成する。記入者は、電子入力領域４１に、必要な事項を記入していく。このように、次々と記入を行うことで、複数の項目の記入を必要とする書面への電子入力が可能となる。
【０１６３】
図１５は、本発明の実施の形態１における複数の記入領域への記入が進んだ状態の電子書面の模式図である。複数の記入領域への記入が進んでいる。このようにして、複数の記入すべき領域への記入が、電子的に実現できる。
【０１６４】
以上のように、実施の形態１における電子入力可能化装置１は、手書きで入力しなければならない書面であっても、電子的に入力することを可能とできる。特に、手書き記入すべき部位に、電子的に入力できる。更には、電子入力を想定していない印刷媒体であっても、新たに電子入力可能な編集態様に作成しなおすことなく、電子入力可能にできる。
【０１６５】
結果として、手書きという手間や不便を軽減して、種々の申込みやアンケートへの回答率を高めることもできる。
【０１６６】
（実施の形態２）
【０１６７】
次に実施の形態２について説明する。
【０１６８】
実施の形態２では、記入者によって電子入力領域４１に記入された内容を記憶した電子書面の回収や管理について説明する。
【０１６９】
図１６は、本発明の実施の形態２における電子入力可能化装置のブロック図である。図１６での電子入力可能化装置１は、送信手段１１および受信装置１２を更に備える。
【０１７０】
入力手段８によって電子入力領域４１に、電子的に必要事項が入力される。この入力された電子入力領域４１に入力がされた電子書面２０は、記憶部９に記憶される。送信手段１１は、この記憶部９に記憶された入力済の電子書面２０を送信する。入力済の電子書面２０は、主催者等によって回収や管理されることが必要だからである。
【０１７１】
送信手段１１は、このような主催者等による記入済の電子書面２０の回収の便を図る。送信手段１１が、必要に応じて電子書面２０を送信することで、主催者等は、記入済の電子書面２０を回収することができる。更には、管理や分析することも可能となる。
【０１７２】
従来の技術では、手書き入力を前提としている印刷媒体の書面では、記入者が手書きで記入していた。このような記入済みの印刷媒体は、物理的に回収される。主催者等は、これらを位置から電子入力を行ってから分析や管理を行う必要があった。
【０１７３】
実施の形態１で説明したように、本発明の電子入力可能化装置１は、手書きではなく電子入力を可能とできる。この電子入力された電子書面２０は、電子的に記憶部９で記憶される。このため、送信手段１１によって、電子的に電子書面２０を送信することができる。
【０１７４】
送信手段１１は、主催者等の必要に応じて、電子書面２０を送信する。ここで、送信手段１１で送信された電子書面２０を受信する受信装置１２が更に備わっていることも好適である。
【０１７５】
受信装置１２は、上述の主催者等の回収、管理、分析などの必要に対応するものである。受信装置１２は、電子入力済の電子書面２０を受信して、保管を行える。主催者等は、受信装置１２を操作することで、電子書面２０を受信することができる。
【０１７６】
受信装置１２が電子書面２０を受信することで、主催者等は、電子書面２０の管理、分析等を行うことができる。
【０１７７】
図１７は、本発明の実施の形態２における受信装置の内部ブロック図である。受信装置１２は、電子入力済みの電子書面２０を受信する。この受信した電子書面２０を、受信装置１２は、必要な事項に対応しつつ整理できる。
【０１７８】
受信装置１２は、抽出手段１３と整理手段１４を備える。抽出手段１３は、受信した電子書面に含まれる電子入力領域４１の入力データを抽出する。電子書面２０は、入力領域生成手段４で生成された電子入力領域４１を備えている。記入者は、この電子入力領域４１に必要事項を入力している。
【０１７９】
主催者等は、この電子入力領域４１に記入されているデータを必要とする。抽出手段１３は、電子書面２０から電子入力領域４１を抽出することにより、入力されている入力データを抽出できる。抽出手段１３は、入力領域生成手段４と同じ手順を利用することで、電子入力領域４１を見つけ出して、入力データを抽出できる。
【０１８０】
整理手段１４は、抽出手段１３で抽出された入力データを、整理する。このとき、例えば、入力データを電子保管するに際して、所定の順番やスプレッドシートに整理する。このような整理によって、複数の電子書面に含まれる入力データが、電子的に整理される。
【０１８１】
例えば、参加者氏名の入力データが複数の電子書面に存在する場合には、複数の電子書面からこの参加者氏名の入力データを順番に並べる。このように並べることで、主催者等は、参加者氏名の一覧を、簡単に作成することができる。
【０１８２】
紙などの印刷媒体であっても、最終的には電子入力された電子書面２０として受信できることで、主催者等は、簡単に入力データを整理できる。
【０１８３】
なお、同じ種類であって同じ記入者による電子書面を新たに受信する場合には、保管されている入力データが置き換えられることも好適である。例えば、あるセミナー参加申し込みの電子書面において、同じ記入者が参加希望日を変更した場合には、電子入力領域４１に入力された入力データが変更されている。
【０１８４】
このような場合に、整理手段１４は、電子的に保管している入力データを置き換える。置き換えによって、記入変更がなされた電子書面の整理を確実に行うことができる。
【０１８５】
実施の形態２における電子入力可能化装置１は、電子的な入力済の電子書面を受信装置１２に送信できる。また、受信装置１２は、自動的に記入内容を整理して分析できる。この結果、主催者等にとって便利である。特に手書き入力を前提に配布等した印刷媒体が、電子入力されて電子的に回収できる。このことにより、電子的な整理や分析も可能となるメリットがある。
【０１８６】
（チェックボックス判定）
電子入力領域４１は、上述の通り電子入力により文字等を入力できる領域になる。ここで、電子書面２０によっては、作業者が自由に文字を入力できる電子入力領域４１だけでなく、いわゆるチェック印（レ点のような）を入力するだけのチェックボックスを備えていることもある。例えば、出席の可否をチェック印だけで記入するだけの領域がチェックボックスである。
【０１８７】
図１８は、本発明の実施の形態２における電子書面の模式図である。電子書面２０において、電子入力領域４１が形成されている。この電子入力領域４１には、電子的に文字列が入力される。一方で、電子入力領域４１として形成された上で、その面積が所定値以下の場合には、チェックボックス４５として取り扱われてもよい。
【０１８８】
図１８においては、面積が所定値以下である領域が、チェックボックス４５として判断されて形成されている。チェックボックス４５においては、文字列が入力されるのではなく、レ点のようなチェック印が入力される。
【０１８９】
このように、電子入力領域４１の面積によってチェックボックスが判断されることで、本来の印刷媒体の想定する形態を、電子書面２０で実現できる。この結果、記入者も管理者も、容易に取り扱うことができる。
【０１９０】
なお、実施の形態１〜２で説明された電子入力可能化装置は、本発明の趣旨を説明する一例であり、本発明の趣旨を逸脱しない範囲での変形や改造を含む。
【符号の説明】
【０１９１】
１    電子入力可能化装置
２    電子変換手段
３    記入部位検出手段
４    入力領域生成手段
５    表示部
６    撮像手段
７    位置選択手段
８    入力手段
９    記憶部
１０    印刷媒体
１１    送信手段
１２    受信装置
１３    抽出手段
１４    整理手段
２０    電子書面
３１    記入部位
３２    境界
４１    電子入力領域
４５    チェックボックス
【図１】
0006694716.tif 000002
【図２】
0006694716.tif 000003
【図３】
0006694716.tif 000004
【図４】
0006694716.tif 000005
【図５】
0006694716.tif 000006
【図６】
0006694716.tif 000007
【図７】
0006694716.tif 000008
【図８】
0006694716.tif 000009
【図９】
0006694716.tif 000010
【図１０】
0006694716.tif 000011
【図１１】
0006694716.tif 000012
【図１２】
0006694716.tif 000013
【図１３】
0006694716.tif 000014
【図１４】
0006694716.tif 000015
【図１５】
0006694716.tif 000016
【図１６】
0006694716.tif 000017
【図１７】
0006694716.tif 000018
【図１８】
0006694716.tif 000019
【図１９】
0006694716.tif 000020